(57)【要約】      （修正有）【課題】保管・運搬時においても脚柱が邪魔とならないようにした組立フェンスを提供する。【解決手段】長方形の平板状であり，辺同士を突き合わせて組み立てることで壁状をなすことができる組立フェンス２であって，本体６と，本体６における下辺部７に取り付けられ，本体６を立てた状態で支持する脚柱体５とを有する。下辺部７には，脚柱体５を下辺部７に沿った方向にした状態で収納できる，組立状態での下方に向かって開口した凹状のポケット部１２が形成されており，ポケット部１２は，下辺部７の表裏面をなす一対の壁面部１５，１６と，一対の壁面部１５，１６同士を奥側にて繋ぐ天井面部と，一対の壁面部１５，１６および天井面部に渡る内部側に設けられ，ポケット部１２に収納されている収納状態の脚柱体５を保持するポケットリブ１８とを有している。【選択図】図７
2020076203.tif 000002
【特許請求の範囲】
【請求項１】
長方形の平板状であり，辺同士を突き合わせて組み立てることで壁状をなすことができる組立フェンスであって，
本体と，
前記本体における組立状態で下辺となる辺をなす下辺部に取り付けられ，前記本体を立てた状態で支持する脚柱体とを有し，
前記下辺部には，前記脚柱体を前記下辺部に沿った方向にした状態で収納できる，組立状態での下方に向かって開口した凹状のポケット部が形成されており，
前記ポケット部は，
前記下辺部の表裏面をなす一対の壁面部と，
前記一対の壁面部同士を奥側にて繋ぐ天井面部と，
前記一対の壁面部および前記天井面部に渡る内部側に設けられ，前記ポケット部に収納されている収納状態の前記脚柱体を保持するポケットリブとを有することを特徴とする組立フェンス。
【請求項２】
請求項１に記載の組立フェンスであって，
前記一対の壁面部の一方および他方のそれぞれの外面に，組立フェンス同士を段積みした際に互いに嵌り合って位置ずれを防止する段積み凸部および段積み凹部が形成されており，
前記段積み凹部の裏面側が，前記ポケット部の内部空間に食い込む膨出凸部となっており，
前記脚柱体には，前記収納状態にて前記膨出凸部をクリアする凹状部が形成されていることを特徴とする組立フェンス。
【請求項３】
請求項１または請求項２に記載の組立フェンスであって，
前記ポケット部は，前記一対の壁面部同士を繋ぐ内端壁面部を一方の端部に有しており，
前記脚柱体における，前記収納状態で前記内端壁面部に向き合い，前記本体を立てた状態で支持する支持状態で前記ポケット部から下向きに突出する下方端部は，開口した筒状とされており，
前記内端壁面部には，組立状態での下方に向かって開いた，前記収納状態での前記脚柱体の前記下方端部の開口に達する深さの壁面窪み部が形成されていることを特徴とする組立フェンス。
【請求項４】
請求項３に記載の組立フェンスであって，
前記天井面部は，前記ポケット部における前記内端壁面部側の部位に形成されており，  前記ポケット部における前記天井面部から外れた部位には，前記脚柱体における，前記収納状態で前記内端壁面部の反対側を向き，前記支持状態で前記ポケット部内に留まる上方端部を，前記天井面部よりも深い位置で保持する深挿し部が形成されており，
前記一対の壁面部の少なくとも一方および前記脚柱体には，前記ポケット部から前記下方端部が脱出している状態の前記脚柱体を，前記上方端部が前記深挿し部に保持されている前記支持状態と，前記ポケット部から離脱しない範囲内で前記支持状態から下向きに引き出した引き出し状態との間で移動可能に保持する係合形状部および被係合形状部が形成されていることを特徴とする組立フェンス。
【請求項５】
請求項４に記載の組立フェンスであって，
前記脚柱体の前記上方端部における，少なくとも前記収納状態で外向きとなる範囲に，凸曲面部が形成されていることを特徴とする組立フェンス。
【請求項６】
請求項１から請求項５までのいずれか１つに記載の組立フェンスであって，
前記ポケットリブに，組立状態での下方に向かって開いた，前記収納状態での前記脚柱体を挟み付けて保持するリブ窪み部が形成されていることを特徴とする組立フェンス。
【発明の詳細な説明】
【技術分野】
【０００１】
本発明は，辺同士を突き合わせて組み立てることで壁状をなすことができる組立フェンスに関する。さらに詳細には，本体と，本体を立てた状態で支持する脚柱体とを有する構成の組立フェンスに関するものである。
【背景技術】
【０００２】
従来から，複数のピースを施工現場で組み立ててフェンスを構築する組立フェンスが用いられている。このような組立フェンスによるフェンスは，構築された状態で恒久的に使用されるとは限らない。一旦構築されたフェンスを解体して，後に再度フェンスの構築に供されることもある。そのため，多数の組立フェンスを，組み立てない個体の状態で保管しておく必要がある。
【０００３】
このような保管時・運搬時の便宜を考慮した組立フェンスの例として，特許文献１に記載されているガードフェンスを挙げることができる。同文献にはガードフェンスについて，組立状態（図１）や段積み状態（図２）等の図が掲載されている。同文献のガードフェンスは，その本体であるフレーム部（１）に脚柱（３）が設けられた構成のものである。脚柱（３）は，組立状態では下段のガードフェンスまたは土台の脚柱挿入用凹部（４）に挿し込まれて，ガードフェンスを正立状態に支えるものである。
【先行技術文献】
【特許文献】
【０００４】
【特許文献１】実開平５−５７０１１号公報
【発明の概要】
【発明が解決しようとする課題】
【０００５】
しかしながら前記した従来の組立フェンス（ガードフェンス）には，次のような問題点があった。脚柱（３）の存在が，組立状態以外の状態では邪魔なのである。脚柱（３）がフレーム部（１）から突出しているからである。このため，段積み状態での保管，運搬のスペース効率が悪かった。また，運搬等の際に脚柱（３）が損傷する場合があった。
【０００６】
本発明は，前記した従来の技術が有する問題点を解決するためになされたものである。すなわちその課題とするところは，保管・運搬時においても脚柱が邪魔とならないようにした組立フェンスを提供することにある。
【課題を解決するための手段】
【０００７】
本発明の一態様における組立フェンスは，長方形の平板状であり，辺同士を突き合わせて組み立てることで壁状をなすことができる組立フェンスであって，本体と，本体における組立状態で下辺となる辺をなす下辺部に取り付けられ，本体を立てた状態で支持する脚柱体とを有し，下辺部には，脚柱体を下辺部に沿った方向にした状態で収納できる，組立状態での下方に向かって開口した凹状のポケット部が形成されており，ポケット部は，下辺部の表裏面をなす一対の壁面部と，一対の壁面部同士を奥側にて繋ぐ天井面部と，一対の壁面部および天井面部に渡る内部側に設けられ，ポケット部に収納されている収納状態の脚柱体を保持するポケットリブとを有するものである。
【０００８】
上記態様における組立フェンスは，組立状態では脚柱体により正立状態に支持される。本態様では，組立フェンスを保管する際には，本体に形成されているポケット部に脚柱体を収納することができる。ポケット部に収納される脚柱体は，ポケット部に形成されているポケットリブに安定的に保持される。このため本態様の組立フェンスは，壁状を構成せずに保管する場合には，脚柱体をポケット部への収納状態とすることができる。したがって，本体からの突出物がない状態で組立フェンスを保管することができる。このため保管・運搬時に，空間効率が高いことや，脚柱体が損傷しにくいことといった利点がある。また脚柱体の紛失も起こりにくい。なおポケット部は，本体における組立状態で側辺となる辺をなす側辺部との接続部に寄せて形成されることが望ましい。
【０００９】
上記態様の組立フェンスではさらに，一対の壁面部の一方および他方のそれぞれの外面に，組立フェンス同士を段積みした際に互いに嵌り合って位置ずれを防止する段積み凸部および段積み凹部が形成されており，段積み凹部の裏面側が，ポケット部の内部空間に食い込む膨出凸部となっており，脚柱体には，収納状態にて膨出凸部をクリアする凹状部が形成されていることが望ましい。
【００１０】
このようにすることで，まず，段積み凸部および段積み凹部の作用により，段積み状態が安定し崩落しにくいという利点がある。そして，段積み凹部の裏面側は必然的に膨出凸部となりポケット部の内部空間に食い込むが，脚柱体には凹状部が形成されていることで，収納状態でも脚柱体と膨出凸部との干渉がクリアされる。このため，段積み状態の安定と，脚柱体の本体への収納とが両立される。
【００１１】
上記のいずれかの態様の組立フェンスではさらに，ポケット部は，一対の壁面部同士を繋ぐ内端壁面部を一方の端部に有しており，脚柱体における，収納状態で内端壁面部に向き合い，本体を立てた状態で支持する支持状態でポケット部から下向きに突出する下方端部は，開口した筒状とされており，内端壁面部には，組立状態での下方に向かって開いた，収納状態での脚柱体の下方端部の開口に達する深さの壁面窪み部が形成されていることが望ましい。このようになっていれば，収納状態にある脚柱体を引き出す動作がやりやすい。壁面窪み部を利用して，脚柱体の開口している下方端部に指を差し込むことができるからである。挿し込んだ指で脚柱体を引き起こすことで，脚柱体を収納状態から脱出させることが容易にできる。なお内端壁面部は，ポケット部における接続部から遠い側の端部に配置されることが望ましい。
【００１２】
また，内端壁面部を有する態様の組立フェンスでは，天井面部が，ポケット部における内端壁面部側の部位に形成されており，ポケット部における天井面部から外れた部位には，脚柱体における，収納状態で内端壁面部の反対側を向き，支持状態でポケット部内に留まる上方端部を，天井面部よりも深い位置で保持する深挿し部が形成されており，一対の壁面部の少なくとも一方および脚柱体には，ポケット部から下方端部が脱出している状態の脚柱体を，上方端部が深挿し部に保持されている支持状態と，ポケット部から離脱しない範囲内で支持状態から下向きに引き出した引き出し状態との間で移動可能に保持する係合形状部および被係合形状部が形成されていることもまた望ましい。
【００１３】
ポケット部に深挿し部が設けられていることで，支持状態で脚柱体の一部を天井面部よりも深い位置で保持することができる。このため支持状態での脚柱体が安定する。そして係合形状部および被係合形状部の作用により，脚柱体を，深挿し部に保持されている支持状態と，支持状態から引き出されつつもポケット部から離脱しない状態との間で移動させることができる。この引き出された状態での脚柱体をポケット部に向かって倒し込むことで，収納状態とすることができる。なお深挿し部は，ポケット部における天井面部よりも接続部側の部位に配置されることが望ましい。
【００１４】
深挿し部を有する態様の組立フェンスではさらに，脚柱体の上方端部における，少なくとも収納状態で外向きとなる範囲に，凸曲面部が形成されていることが望ましい。これにより，脚柱部を収納状態とするとき，また収納状態から引き起こすときに，脚柱部がスムーズに回転することができる。また，本体側に，脚柱部の回転を許容するための特別の形状部分を設ける必要がない。
【００１５】
上記のいずれかの態様の組立フェンスではまた，ポケットリブに，組立状態での下方に向かって開いた，収納状態での脚柱体を挟み付けて保持するリブ窪み部が形成されていることも望ましい。これにより，収納状態での脚柱体がリブ窪み部に安定的に保持され，ひとりでに収納状態から外れてくることが防止される。また，ポケットリブの強度もある程度確保される。
【発明の効果】
【００１６】
本構成によれば，保管・運搬時においても脚柱が邪魔とならないようにした組立フェンスが提供されている。
【図面の簡単な説明】
【００１７】
【図１】実施の形態に係る組立フェンスにより構築したフェンスの例を示す斜視図である。
【図２】図１のフェンスを構築するための組立フェンスの本体を示す俯瞰斜視図である。
【図３】図２の本体の一部分の拡大図である。
【図４】組立フェンスの脚柱体を示す斜視図（その１）である。
【図５】組立フェンスの脚柱体を示す斜視図（その２）である。
【図６】組立フェンスにおいて脚柱体を収納している状態を示す部分斜視図である。
【図７】組立フェンスにおいて脚柱体を突出させている状態を示す部分斜視図である。
【図８】多数の組立フェンスを段積みした状態を示す斜視図である。
【図９】組立フェンスをその板面と平行な面で切断して示す斜視図である。
【図１０】組立フェンスの一部分をその下端面と平行な面で切断して示す斜視図である。
【図１１】凹状部と膨出凸部とが嵌り合っている位置におけるポケット部および脚柱体の側面断面図である。
【図１２】組立フェンスにおいて脚柱体を収納している状態を示す正面断面図である。
【図１３】ポケットリブの位置におけるポケット部および脚柱体の側面断面図である。
【図１４】組立フェンスにおいて脚柱体を突出させている状態を示す正面断面図である。
【図１５】図７の状態から脚柱体をまっすぐに引き出した状態を示す部分斜視図である。
【図１６】図１５の状態と図６の状態との中間の状態を示す正面断面図である。
【図１７】図１０に示した箇所と左右反対側の箇所を同様に切断して示す斜視図である。
【発明を実施するための形態】
【００１８】
以下，本発明を具体化した実施の形態について，添付図面を参照しつつ詳細に説明する。本形態は，図１に示すフェンス９０を構築するための組立フェンス２として本発明を具体化したものである。図１のフェンス９０は，同一の組立フェンス２を多数組み合わせることで壁状に構築されている。図２に単体での組立フェンス２を示す。ただし図２では，組立フェンス２のうち脚柱体５を除いた本体６のみを示している。本明細書では，組み立てた全体を「フェンス」と呼び，その個々のピースを「組立フェンス」と呼ぶこととしている。
【００１９】
図２の組立フェンス２の本体６は，全体として長方形（正方形でもよい）の平板状のものである。図１のようにフェンス９０を構築している状態では，組立フェンス２の辺同士が突き合わせられている。組立フェンス２においては，フェンス９０の状態での上下の向きが決まっている。すなわち，図２中の下辺部７が下向きとなり，上辺部８が上向きとなる。また，側辺部９が横向きとなる。下辺部７，上辺部８，および両側辺部９に囲まれている部分が意匠部１０である。以下，下辺部７と両側の側辺部９との接続箇所を接続部１１という。
【００２０】
図２の本体６のうち左下の接続部１１付近の箇所を拡大して図３に示す。図３に示すように下辺部７には，図１の組立状態にて下向きに開口した凹部であるポケット部１２が，接続部１１に寄せた両端付近の位置に設けられている。このポケット部１２は，前述の脚柱体５を収納するためのスペースである。図４および図５に脚柱体５の単体を示す。図４の脚柱体５と図５の脚柱体５とは，見る方向が違うだけで同じものである。脚柱体５は，円筒状の立柱部１３と，一端のハブ部１４とを有している。
【００２１】
脚柱体５は組立フェンス２において，図６と図７との２通りの状態を取るものである。図６は，脚柱体５がポケット部１２に完全に収納されている状態を示している。この収納状態では，脚柱体５の立柱部１３が，下辺部７に沿った方向に配置されている。この収納状態は，多数の組立フェンス２を図８のように段積みするのに適した状態である。図７は，脚柱体５のうちの立柱部１３が組立フェンス２の本体６から突出している状態を示している。この状態は，図１のようにフェンス９０を構築するために組立フェンス２を正立状態に支える支持状態である。図１の組立状態での立柱部１３（脚柱体５）は，本体６（組立フェンス２）から下向きに突出している。
【００２２】
図３に戻って，ポケット部１２についてさらに説明する。ポケット部１２は，一対の壁面部１５，１６により外部から仕切られている。一対の壁面部１５，１６は，下辺部７の表（おもて）面および裏面をなす壁状部でもある。ポケット部１２にはさらに，図９に示すように天井面部１７が設けられている。図９は，本体６をその板面と平行な面で半分の厚さに切断したものを，図３とほぼ同じ方向で見て描いた仮想的な図である。天井面部１７は，ポケット部１２における奥側，すなわち組立フェンス２を正立状態にした状態にてポケット部１２の上側に位置する。天井面部１７はまた，壁面部１５と壁面部１６とを繋いでいる。そしてポケット部１２の内部には，壁面部１５と天井面部１７と壁面部１６とに渡るポケットリブ１８が設けられている。ポケットリブ１８は，図６の収納状態にて脚柱体５の立柱部１３を保持する部位である。
【００２３】
壁面部１５の外面には図３に示すように，段積み凸部１９が形成されている。一方，壁面部１６の内面における段積み凸部１９の直下の位置には，膨出凸部２０が，ポケット部１２の内部空間に食い込むように形成されている。壁面部１６の外面における膨出凸部２０の裏側の位置には，図１０に示すように，段積み凹部２１が形成されている。膨出凸部２０は，段積み凹部２１を形成するための必然として形成されているものである。段積み凸部１９および段積み凹部２１は，図８の段積み状態にて隣接する組立フェンス２間で互いに嵌り合うものである。この嵌り合いにより，段積み状態での組立フェンス２の位置ずれを防止するものである。図１０は，図６に示される状況のポケット部１２および脚柱体５を，組立フェンス２の下辺部７の下端面と平行な面で切断したものを，図６の視線方向とだいたい近い視線方向から見て描いた仮想的な図である。
【００２４】
そして脚柱体５には図４および図５に示されるように，立柱部１３の一部に凹状部２２が形成されている。凹状部２２は，脚柱体５を図６の収納状態にしたときに，立柱部１３と膨出凸部２０との干渉をクリアするための形状である。したがって凹状部２２は，立柱部１３における，脚柱体５を収納状態にしたときに壁面部１５または壁面部１６と向き合う位置の一部に形成されている。
【００２５】
図１０には，収納状態の脚柱体５における凹状部２２と膨出凸部２０とが嵌り合っている状況が現れている。なお図１０から分かるように脚柱体５には，表裏２箇所に凹状部２２が設けられている。そのことの意味は後述する。図１１に，凹状部２２と膨出凸部２０とが嵌り合っている位置におけるポケット部１２および脚柱体５の側面断面図を示す。なお，図１１中の下側に見える段積み凸部１９は，図２中における右側の接続部１１付近におけるものである。
【００２６】
上記のように凹状部２２は，立柱部１３の長さ全体にわたってではなく，膨出凸部２０との干渉をクリアするための範囲にのみ形成されている。このため図１０の収納状態において，立柱部１３の外面と壁面部１５，１６との間に大きな隙間ができることが防止されている。もし立柱部１３の長さ全体が凹状部２２とされていると，図１０の状態にて立柱部１３の外面と壁面部１５，１６との間に大きな隙間ができてしまうことになる。しかし本形態ではそのような大きな隙間がないので，下辺部７が厚み方向に圧迫されても，壁面部１５と壁面部１６とが接近するように変形してしまうことが抑制されている。
【００２７】
再び図３に戻って，ポケット部１２における接続部１１とは反対側の内寄りの端部には，内端壁面部２３が形成されている。内端壁面部２３は，壁面部１５と壁面部１６とを繋いでいる。内端壁面部２３にはさらに，正立状態での下方に向かって開いた壁面窪み部２４が形成されている。
【００２８】
一方，脚柱体５の円筒状の立柱部１３におけるハブ部１４と反対側の端部は，図４に示されるように開口端２５となっている。そして図１２の断面図に示されるように，壁面窪み部２４の最深部は，収納状態での立柱部１３の開口端２５の内部に達する深さである。このため，収納状態での脚柱体５に対し，壁面窪み部２４を通して開口端２５に指を掛けることができる。これにより，脚柱体５をポケット部１２から引き起こして図７に示した支持状態とすることができる。図１２は，収納状態の組立フェンス２のポケット部１２付近の，組立フェンス２の板面と平行な面での断面図である。図１３に，ポケットリブ１８の位置におけるポケット部１２および脚柱体５の側面断面図を示す。
【００２９】
ポケット部１２における，天井面部１７よりも接続部１１側の部位には，天井面部１７よりも深く抉られた深挿し部２６が形成されている。深挿し部２６は，図７の支持状態における脚柱体５のハブ部１４を保持する部位である。深挿し部２６にハブ部１４が保持されている状況を図１４に示す。図１４は，支持状態の組立フェンス２のポケット部１２付近の，組立フェンス２の板面と平行な面での断面図である。ハブ部１４が深挿し部２６に挿し込まれた形となっているため，支持状態における脚柱体５は組立フェンス２の本体６に対して安定している。
【００３０】
図３および図９に示すように，壁面部１５，１６にはそれぞれ，長穴２７が形成されている。長穴２７は，下辺部７に対して垂直な方向，すなわち側辺部９と平行な方向に，天井面部１７よりも接続部１１側の部位に形成されている。長穴２７のうち最も深い位置は天井面部１７よりも深く，最も浅い位置は天井面部１７よりも浅い。さらに，長穴２７のうち最も深い位置からわずかに浅い位置に，突起部２８が形成されている。突起部２８の箇所では，長穴２７の開口幅が局所的に他の箇所よりやや狭くなっている。
【００３１】
これに対して脚柱体５にも，長穴２７に対応した形状が形成されている。それは図４および図５に示されている凸部２９である。凸部２９は脚柱体５におけるハブ部１４側の端部付近に設けられている。図４および図５では片面側の凸部２９しか現れていないが，裏面側の同じ位置にも同じ形状の凸部２９が形成されている（図１０）。表裏の凸部２９はむろん，脚柱体５を本体６に取り付けている状態で，壁面部１５，１６の長穴２７に嵌り込むための形状である。長穴２７により，凸部２９の位置が規制されている。すなわち凸部２９は，長穴２７に沿って直線的にしか移動することができない。なお脚柱体５においては，凸部２９と前述の凹状部２２との位置関係も決まっている。すなわち，表裏の凸部２９を長穴２７に嵌め込んでいる状態にて，凹状部２２が壁面部１５，１６の方を向くようになっている。
【００３２】
凸部２９が長穴２７のうち奥深い部分に位置するようにして，ハブ部１４が深挿し部２６に底付きするまで脚柱体５を押し込んだ状態が，図７，図１４に示す支持状態である。この状態での凸部２９は，天井面部１７よりも深い位置にある。この状態ではハブ部１４が深挿し部２６に嵌り込んでいるので，脚柱体５の全体は下辺部７に対して垂直な方向となっている。すなわち開口端２５が正立状態における下向きとなっている。この状態ではまた，凸部２９が長穴２７の突起部２８よりさらに奥側にある。このため，凸部２９の移動が突起部２８により規制されている。したがって，脚柱体５を軽く引っ張った程度では，脚柱体５の状態は変わらない。
【００３３】
図７，図１４の支持状態から脚柱体５をやや強めの力で引っ張ると，弾性変形により凸部２９が突起部２８を乗り越える。これにより凸部２９が長穴２７に沿って自由に移動できる状態となる。この状態で凸部２９が長穴２７の最も浅い端部に当接するまで脚柱体５をまっすぐに移動させたのが，図１５に示す状態である。この状態では，脚柱体５のハブ部１４の一部がポケット部１２から脱出している点で，図７の状態とは相違している。ただし，凸部２９が長穴２７の端部に当接しているので，脚柱体５をさらに引き出すことはできない。つまり，脚柱体５が本体６から離脱してしまう訳ではない。
【００３４】
図１５の状態ではハブ部１４が，ポケット部１２から完全には脱出していないものの，深挿し部２６からは完全に脱出している。そして凸部２９が，天井面部１７よりも浅い位置にある。このため脚柱体５は，凸部２９を中心に回転することができる。具体的には脚柱体５を，下辺部７に向かって倒し込む向きに回転させることができる。この回転動作により，図６等に示した収納状態とすることができる。図７の状態から図６の収納状態に至る途中の状態の一例を図１６に示す。
【００３５】
図６の収納状態から図７の支持状態にするときにはまず，壁面窪み部２４を通して開口端２５に指を掛けて脚柱体５を引き起こす。そして図１６の状態を経て図７の状態まで脚柱体５を回転させる。それから脚柱体５をまっすぐに押し込めばよい。押し込みの途中で凸部２９が突起部２８に到達して抵抗がやや増すが，そのまま強めに押し込めば凸部２９が突起部２８を乗り越える。これにより安定した図７の支持状態となる。
【００３６】
図４および図５に戻って，脚柱体５のハブ部１４についてさらに説明する。ハブ部１４における開口端２５とは反対側の端部は，凸曲面状の凸曲面部３０とされている。凸曲面部３０は好ましくは，表裏の凸部２９同士を結ぶ仮想的な直線を中心とする円柱面である。このため，図７の状態と図６の収納状態との間での脚柱体５の回転がスムーズである。もしハブ部１４の当該端部が角型であると，その回転を許容するための形状を周囲に形成しておく必要がある。本形態ではそのような必要はない。
【００３７】
ここで，上記のように脚柱体５のスムーズな回転を許容するためには，凸曲面部３０の範囲は，最低９０°の角度範囲があれば十分である。すなわち，図７の状態で左右方向の外向きとなり図６の収納状態でポケット部１２の開口側から見える向きとなる９０°の角度範囲が凸曲面部３０とされていれば十分である。
【００３８】
しかし本形態のように１８０°の角度範囲を凸曲面部３０としておくことにより，さらなる利点がある。脚柱体５を本体６に取り付ける際に，脚柱体５の表裏を気にしなくてよいことである。前述した，凹状部２２が表裏両面に形成されていることも，脚柱体５の表裏に関係なく取り付けができるようにするためである。また，組立フェンス２の全体としては，図２中の左右両方の接続部１１付近にポケット部１２が形成されており，それぞれに１本ずつの脚柱体５が取り付けられる。ここで，右用の脚柱体５と左用の脚柱体５とは同じものでよいということでもある。
【００３９】
ここで，図９および図１３により，ポケットリブ１８についてさらに説明する。ポケットリブ１８には，ポケット部１２の開口側に向かって開いた円弧状のリブ窪み部３１が形成されている。リブ窪み部３１はむろん，脚柱体５の立柱部１３を保持するための形状である。リブ窪み部３１に保持されるのは，立柱部１３の中でも凹状部２２とされていない箇所である。本形態では，収納状態での立柱部１３がリブ窪み部３１に圧入されることで，挟み付けられて摩擦力で保持されるようになっている。これにより，収納状態での脚柱体５がひとりでにポケット部１２から脱出してくることがないようになっている。また，リブ窪み部３１の形状が円弧状であることにより，ポケットリブ１８自体の強度もある程度確保されている。天井面部１７と壁面部１５，１６とのコーナー部に対するポケットリブ１８の高さが確保されるからである。
【００４０】
ここまでの説明でも何度か言及したが，組立フェンス２の本体６には，図２に示される下辺部７の左右両端にポケット部１２が形成されている。ここまでで説明したものは図２中の左下端のポケット部１２であるが，右下端のポケット部１２も同様の構成となっている。右下端のポケット部１２を図１０と同様の切断面により切断したものを図１７に示す。
【００４１】
ここで図１７のポケット部１２では，段積み凸部１９と段積み凹部２１との位置関係が，図１０のポケット部１２とは上下逆になっている。すなわち図１７では，上側の壁面部１５に段積み凹部２１が形成されており，下側の壁面部１６に段積み凸部１９が形成されている。これに伴い膨出凸部２０も，下側の壁面部１６でなく上側の壁面部１５に形成されている。すなわち図１７のポケット部１２の形状は，図１０のポケット部１２の鏡面対称ではなく回転対称に相当する形状である。
【００４２】
図２の本体６をさらに見ると，右側の側辺部９の中央部分に上向きに凸状の段積み凸部３２が形成されており，左側の側辺部９の中央部分には上から見て凹状の段積み凹部３３が形成されている。右側の側辺部９の段積み凸部３２の裏側は段積み凹部３３と同じ形状とされており，左側の側辺部９の段積み凹部３３の裏側は段積み凸部３２と同じ形状とされている。また，上辺部８の右端付近に上向きに凸状の段積み凸部３４が形成されており，左端付近に上から見て凹状の段積み凹部３５が形成されている。右側の段積み凸部３４の裏側は段積み凹部３５と同じ形状とされており，左側の段積み凹部３５の裏側は段積み凸部３４と同じ形状とされている。
【００４３】
むろん，段積み凸部３２，３４および段積み凹部３３，３５も，図８の段積み状態のための形状である。上記のような凸部と凹部との配置により，段積み状態にするに際して組立フェンス２の表裏を考慮しなくてもよいようになっている。下辺部７同士および上辺部８同士が重なり合うようにすれば段積み状態にすることができる。かかる段積み状態では各組立フェンス２のすべての脚柱体５を収納状態としておくとよい。そうすれば図８の段積み状態において，脚柱体５が組立フェンス２の本体６から全く突出していない。このため，段積み状態での保管，運搬のスペース効率が高い。また，運搬等の際に脚柱体５が損傷する可能性は非常に低い。また，脚柱体５は組立フェンス２の内部に収納されており分離していないので，脚柱体５を紛失してしまう可能性も非常に低い。
【００４４】
一方，組立フェンス２の２本の脚柱体５を支持状態とすれば，図１に示したフェンス９０を構築することができる。ここで，各組立フェンス２の上辺部８の両端には，上段の組立フェンス２の脚柱体５を挿入するための穴３６が形成されている。最上段の組立フェンス２の穴３６は，キャップ３７で塞ぐことができる。図１中に示されるキャップ３７は，２つの組立フェンス２同士を連結する機能をも併せ有するものである。１つの穴３６のみを塞ぎ連結機能を有しないキャップもあってよい。最下段の組立フェンス２の下方には土台３８を置く。土台３８にも，組立フェンス２の脚柱体５を挿入するための穴３９が形成されている。
【００４５】
本形態の組立フェンス２においては通常，脚柱体５を取り外す必要は特にない。脚柱体５のみが損傷して新品に交換する場合には，壁面部１５と壁面部１６との間を少し押し広げることで，損傷した脚柱体５の凸部２９を長穴２７から外せばよい。これにより，古い脚柱体５を組立フェンス２の本体６から取り外すことができる。新品の脚柱体５を取り付ける際も壁面部１５と壁面部１６との間を少し押し広げながら，両方の凸部２９が壁面部１５，１６に挟まるようにする。そして凸部２９をスライドさせて長穴２７に嵌り込ませればよい。
【００４６】
以上詳細に説明したように本実施の形態によれば，組立フェンス２の本体６にポケット部１２を設けて，本体６から脚柱体５が突出しない状態で組立フェンス２を保管できるようにしている。そして，ポケット部１２内にポケットリブ１８を設けることで，収納状態の脚柱体５を安定的に保持するようにしている。これにより，保管・運搬時においても脚柱が邪魔とならない組立フェンス２が実現されている。
【００４７】
なお，本実施の形態は単なる例示にすぎず，本発明を何ら限定するものではない。したがって本発明は当然に，その要旨を逸脱しない範囲内で種々の改良，変形が可能である。例えば，前記形態では，凸曲面部３０を１８０°の角度範囲にわたって形成し，凹状部２２を立柱部１３の表裏両面に設けた。しかしこれに限らず，凸曲面部３０の形成範囲を９０°とすることや，凹状部２２を立柱部１３の片面にのみ設けることも可能である。その場合，脚柱体５に右用と左用との区別が生じたり，本体６への取り付け時に表裏の区別を意識する必要が生じたりする。しかし本発明として成立する範囲内である。
【００４８】
また，立柱部１３における凹状部２２の位置は，前記形態ではハブ部１４にすぐ隣接する位置としたが，これに限らない。もっと開口端２５寄りの位置であってもよい。ただしその場合，本体６側における段積み凸部１９，段積み凹部２１，膨出凸部２０の位置もそれに合わせた位置としなければならない。また，立柱部１３における凹状部２２以外の部位の断面形状は，必ずしも円形に限定されない。また，前記形態では，段積み凸部および段積み凹部の配置により，段積み時に組立フェンス２の表裏を気にしなくてよいようにしたが，これも必須ではない。表裏を揃えないと段積みできないような段積み凸部および段積み凹部の配置であっても，本発明として成立する範囲内である。
【００４９】
前記形態ではまた，脚柱体５をポケット部１２に対して移動可能に保持する係合形状部および被係合形状部として，本体６の長穴２７と脚柱体５の凸部２９とを設けた。これらについても変形が可能である。まず，長穴２７は表裏間を貫通していなくてもよい。壁面部１５，１６の内面側から凸部２９が進入可能でさえあればよく，外面側は塞がっていてもよい。また突起部２８は外側でなく内側に形成してもよいし，両側に形成してもよい。長穴２７が有底である場合の突起部２８は，深さを少なくしたものであってもよい。
【００５０】
さらに，凸部２９を脚柱体５に設ける代わりに本体６側に設け，長穴２７に相当する形状を脚柱体５に設ける構成も可能である。その場合には，前記形態における長穴２７の最外端（最下端）に相当する位置における壁面部１５，１６の内面に凸部２９を設けることとなる。そして脚柱体５には，長穴２７に相当する有底の溝状部を設けることになる。これで同様の動作が可能である。なお，片面側を前記形態と同様とし，もう片面をここで述べた変形形態と同様とすることも可能である。そうすると脚柱体５の取り付け時には必然的に表裏の区別を意識する必要が生じるが，本発明として成立する範囲内である。
【００５１】
また，ポケット部１２に脚柱体５を保持するための構成にも変形が可能である。前記形態では立柱部１３がリブ窪み部３１に挟み付けられることによる摩擦力を利用していたが，これに限られない。例えば，ポケット部１２と脚柱体５と一方に凸部を設け他方に凹部を設けることで，凸部と凹部との引っ掛かりにより脚柱体５が保持されるものであってもよい。
【００５２】
さらに，ポケット部１２における深挿し部２６の位置についても，前記形態で説明したものに対して変形が可能である。すなわち前記形態ではポケット部１２の中で最も側辺部９寄りの位置に深挿し部２６が配置されていたが，逆に最も中央寄りの位置に深挿し部２６を配置することもできる。その場合，長穴２７の位置も深挿し部２６に合わせた位置とされ，脚柱体５の出し入れの際の回転はそこを中心に行われることとなる。さらに，ポケット部１２を脚柱体５の長さの２倍近い長さとしておき，その中央に深挿し部２６および長穴２７を配置してもよい。その場合，脚柱体５を収納状態にするときには左右どちらに倒してもよい。
【００５３】
さらにまた，下辺部７全体の中でのポケット部１２の位置自体も，側辺部９寄りの両端には限られない。両端から離れた中央寄りの位置であってもよい。ただし，前記形態のように側辺部９との接続部１１に寄せた位置とし，深挿し部２６を天井面部１７よりも側辺部９側に配置することには，次のような利点がある。すなわち，意匠部１０を広く取ることができ，デザイン上好都合である。深挿し部２６が側辺部９に食い込むように形成され，意匠部１０を邪魔しないからである。この場合にはまた，上辺部８の穴３６も，正面視にて深挿し部２６の真上の位置，すなわち上辺部８の両端に位置することになるので，これも意匠部１０を邪魔しない。また，土台３８もコンパクトにすることができる。
【符号の説明】
【００５４】
２    組立フェンス                        １８  ポケットリブ
５    脚柱体                              １９  段積み凸部
６    本体                                ２０  膨出凸部
７    下辺部                              ２１  段積み凹部
８    上辺部                              ２２  凹状部
９    側辺部                              ２３  内端壁面部
１１  接続部                              ２４  壁面窪み部
１２  ポケット部                          ２５  開口端
１３  立柱部                              ２６  深挿し部
１４  ハブ部                              ２７  長穴
１５  壁面部                              ２９  凸部
１６  壁面部                              ３０  凸曲面部
１７  天井面部                            ３１  リブ窪み部
【図１】
2020076203.tif 000003
【図２】
2020076203.tif 000004
【図３】
2020076203.tif 000005
【図４】
2020076203.tif 000006
【図５】
2020076203.tif 000007
【図６】
2020076203.tif 000008
【図７】
2020076203.tif 000009
【図８】
2020076203.tif 000010
【図９】
2020076203.tif 000011
【図１０】
2020076203.tif 000012
【図１１】
2020076203.tif 000013
【図１２】
2020076203.tif 000014
【図１３】
2020076203.tif 000015
【図１４】
2020076203.tif 000016
【図１５】
2020076203.tif 000017
【図１６】
2020076203.tif 000018
【図１７】
2020076203.tif 000019